(57)【要約】      （修正有）【課題】嵩張らず小形に纏まっていて、出張先や旅行先への携行に便利で、使用済みペットボトルと組み合わせて衣料用ハンガーとして使用することができ、一般家庭内用としても、物干し用としても好ましい形態のハンガーとして使用することができる衣料用ハンガー部材を提案すること。また、フード付き衣料の乾燥も容易迅速に行うことができるようにした衣料用ハンガー部材を提供する。【解決手段】衣料用ハンガー部材の構成は、吊り下げ用フック体１と、その下方に連結され左右方向に突出する短尺の連接部３を備えた横桿２とからなり、該横桿２が、連接部３の端面に形成された開口部４と、該開口部４の内面に、ペットボトルの蓋嵌合用螺旋と嵌合する雌形螺旋を備えている構成とする。【選択図】図１
0003161719.tif 000002
【実用新案登録請求の範囲】
【請求項１】
吊り下げ用フック体(1)と、その下方に連結され左右方向に突出する短尺の連接部(3，3)を備えた横桿(2)とからなり、該横桿(2)が、連接部(3，3)の端面に形成された開口部(4，4)と、該開口部(4，4)の内面に、ペットボトルの蓋嵌合用螺旋と嵌合する雌形螺旋(5，5)を具有する構成としてある衣料用ハンガー部材。
【請求項２】
吊り下げ用フック体(1)と、その下方に連結され左右方向に突出する短尺の連接部(3，3)を備えた横桿(2)とからなり、該横桿(2)が、連接部(3，3)の端面に形成された開口部(4，4)と、該開口部(4，4)の内面に、ペットボトルの蓋嵌合用螺旋と嵌合する雌形螺旋(5，5)を具有し、前記横桿(2)が、装着ペットボトル上面の仮想延長線(e)にほぼ沿った上辺を有する首周り支持部(31，31)を備えている構成としてある衣料用ハンガー部材。
【請求項３】
吊り下げ用フック体(1)と、その下方に連結され左右方向に突出する短尺の連接部(3，3)を備えた横桿(2)と、該横桿(2)に対して着脱自在に連結する連結桿(23)とからなり、該横桿(2)が、連接部(3，3)の端面に形成された開口部(4，4)と、該開口部(4，4)の内面に、ペットボトルの蓋嵌合用螺旋と嵌合する雌形螺旋(5，5)を具有し、更に、該横桿(2)が、水平桿部分(21)の中心部を除く左右方向に変位した二つの部分に小孔(22)を備えており、前記連結桿(23)が、一端に、内面にペットボトルの蓋嵌合用螺旋と嵌合する雌形螺旋(25)を形成した上向き開口部(24)を備え、他端側の基部(26)に、前記小孔(22)と対応する左右二つの箇所に連結脚(27)を突出形成してあるものとし、これらの連結脚(27)を前記小孔(22)に対して挿抜自在に連結する構成としてある衣料用ハンガー部材。
【請求項４】
吊り下げ用フック体(1)と、その下方に連結され左右方向に突出する短尺の連接部(3，3)を備えた横桿(2)と、該横桿(2)に対して着脱自在に連結する連結桿(23)とからなり、該横桿(2)が、連接部(3，3)の端面に形成された開口部(4，4)と、該開口部(4，4)の内面に、ペットボトルの蓋嵌合用螺旋と嵌合する雌形螺旋(5，5)を具有し、更に、前記連結桿(23)が、一端に、内面にペットボトルの蓋嵌合用螺旋と嵌合する雌形螺旋(25)を形成した上向き開口部(24)を備え、他端側の基部(26)に、前記フック体(1)の下端部に係止する連結構造部(20)を備え、この連結構造部(20)をフック体(1)の下端部において横桿(2)に対し着脱自在に係止連結する構成としてある衣料用ハンガー部材。
【請求項５】
フック部(1)と横桿(2)とを垂直軸周りに相対回転自在に形成してある請求項１乃至４の何れかに記載の衣料用ハンガー部材。
【考案の詳細な説明】
【技術分野】
【０００１】
本考案は、合成樹脂素材を用いて形成した衣料用ハンガー部材に関するものである。より詳しくは、使用済みのペットボトルを左右に連結させて、衣料用ハンガーとして使用することができるようにしたハンガー構成部材に関するものである。
【背景技術】
【０００２】
従来から衣料用ハンガーは周知され使用されている。他方、ペットボトルは液体飲料の充填容器として周知され大量に取り扱われている。このペットボトル飲料は自動販売機によっても販売されていて、いつでも購入できる社会態勢になっている。この飲料容器としてのペットボトルは、充填飲料水の飲用後は無用物として一般的にはその大部分が廃棄されている。
【０００３】
この廃棄されたペットボトルは、その何割かが回収され、リサイクル素材としてフレーク化され再利用されている。他方で、資源の有効利用と廃棄物の有効活用しようという観点から、空ボトルを全く別の用途に活用することが考えられ、既に幾つかの提案もなされている。
【０００４】
その手段の一つは、下記特許文献１に見られるように、空容器となったペットボトルを利用して、そのキャップ取付部に、複数個の小穴を開けたキャップを取り付け、このキャップに開けた小穴からボトル内の水を飛び出させて、家の中で飼うペットのお尻を洗浄するようにしたペットのお尻洗浄具が提案されている。
【０００５】
また、下記特許文献２に見られるように、空容器となったペットボトルを利用して、そのキャップ取付部に取り付けるためのキャップに、先端部に複数の小穴を開けた洗浄液吐出用の平らな角筒を連結してあるものとし、この平らな角筒の先端部に開けた複数の小穴から、洗浄液を吐出させてお尻を洗浄するようにしたお尻洗浄器も提案されている。
【０００６】
更には、下記特許文献３に見られるように、本出願人の出願に係る考案であって、使用済みペットボトルを利用して、そのキャップ取付部に洗浄用ブラシを植毛したキャップを取り付けて、ボトル内の水を植毛部に押し出して敷居等の清掃を行うようにしたものも提案済みである。
【先行技術文献】
【特許文献】
【０００７】
【特許文献１】特開２００５−３１２４１９号公報
【特許文献２】特開２００６−２８０８３４号公報
【特許文献３】実用新案登録第３１３３４４１号公報
【考案の概要】
【考案が解決しようとする課題】
【０００８】
しかしながら、これらの使用済みペットボトルの利用手段は、ペットか人間のお尻を洗浄するものや敷居等を清掃するものであり、その技術思想は、水または洗浄液をペットボトルに入れて、ペットボトル内に入れた水や洗浄液を穴から噴き出させてお尻の洗浄や敷居等の清掃を行うものであり、使用済みペットボトルを液体容器として再利用するというものである。
【０００９】
他方、衣料用ハンガーは、通常、大人の衣服を吊り下げるものであるから、横方向長さが４０〜４５ｃｍ以上あるので、嵩張って出張時や短時日の旅行には携行し難い大きさのものとなっている。
【００１０】
そこで、本考案は、嵩張らず小形に纏まっていて、出張先や旅行先への携行に便利であって、使用済みペットボトルと組み合わせて衣料用ハンガーとして使用することができ、一般家庭においても従来にはなかった好ましい形態のハンガーとして使用することができる衣料用ハンガー部材をここに提案するものである。また、他の目的としては、フード付き防寒服（アノラック・パーカとも呼ばれている）の乾燥にも適した衣料用ハンガー部材を提案するものである。
【課題を解決するための手段】
【００１１】
該目的を達成するために講じた本考案にいう衣料用ハンガー部材の構成を説明すると、本願請求項１に記載の構成は、吊り下げ用フック体１と、その下方に連結され左右方向に突出する短尺の連接部３，３を備えた横桿２とからなり、該横桿２が、連接部３，３の端面に形成された開口部４，４と、該開口部４，４の内面に、ペットボトルの蓋嵌合用螺旋と嵌合する雌形螺旋５，５を具有する構成としたものである。
【００１２】
また、請求項２に記載の衣料用ハンガー部材の構成は、吊り下げ用フック体１と、その下方に連結され左右方向に突出する短尺の連接部３，３を備えた横桿２とからなり、該横桿２が、連接部３，３の端面に形成された開口部４，４と、該開口部４，４の内面に、ペットボトルの蓋嵌合用螺旋と嵌合する雌形螺旋５，５を具有し、前記横桿２が、装着ペットボトル上面の仮想延長線ｅにほぼ沿った上辺を有する首周り支持部３１，３１を備えている構成としたものである。
【００１３】
続く請求項３に記載の衣料用ハンガー部材の構成は、吊り下げ用フック体１と、その下方に連結され左右方向に突出する短尺の連接部３，３を備えた横桿２と、該横桿２に対して着脱自在に連結する連結桿２３とからなり、該横桿２が、連接部３，３の端面に形成された開口部４，４と、該開口部４，４の内面に、ペットボトルの蓋嵌合用螺旋と嵌合する雌形螺旋５，５を具有し、更に、該横桿２が、水平桿部分２１の中心部を除く左右方向に変位した二つの部分に小孔２２を備えており、前記連結桿２３が、一端に、内面にペットボトルの蓋嵌合用螺旋と嵌合する雌形螺旋２５を形成した上向き開口部２４を備え、他端側の基部２６に、前記小孔２２と対応する左右二つの箇所に連結脚２７を突出形成してあるものとし、これらの連結脚２７を前記小孔２２に対して挿抜自在に連結する構成としたものである。
【００１４】
更に、請求項４に記載の衣料用ハンガー部材の構成は、吊り下げ用フック体１と、その下方に連結され左右方向に突出する短尺の連接部３，３を備えた横桿２と、該横桿２に対して着脱自在に連結する連結桿２３とからなり、該横桿２が、連接部３，３の端面に形成された開口部４，４と、該開口部４，４の内面に、ペットボトルの蓋嵌合用螺旋と嵌合する雌形螺旋５，５を具有し、更に、前記連結桿２３が、一端に、内面にペットボトルの蓋嵌合用螺旋と嵌合する雌形螺旋２５を形成した上向き開口部２４を備え、他端側の基部２６に、前記フック体１の下端部に係止する連結構造部２０を備え、この連結構造部２０をフック体１の下端部において横桿２に対して着脱自在に係止連結する構成としたものである。
【００１５】
また、請求項５に記載の衣料用ハンガー部材の構成は、請求項１乃至４の何れかに従属する構成であって、フック部１と横桿２とを垂直軸周りに相対回転自在に形成してあることを要件としたものである。
【考案の効果】
【００１６】
本考案の請求項１にいう衣料用ハンガー部材は、吊り下げ用フック体の下方に連結した横桿の左右の端面に形成した開口部のそれぞれの内面に、ペットボトルの蓋嵌合用螺旋と嵌合する雌形螺旋を形成してある構成としてあるので、これらの開口部に使用済みペットボトルの蓋を除去した蓋嵌合用の雄形螺旋部を奥まで嵌め込んで取り付けることによって衣料用ハンガーを形成することができる。したがって、本考案にいうハンガー部材そのものは、小形で嵩張らない形態に形成できるので、出張先や旅行先に便利に携行できる効果を有する。
【００１７】
また、使用済みのペットボトルを利用して、これを組み合わせて衣料用ハンガーとして使用することができるようにしたものであるから、一般家庭においても、通常の衣料用ハンガーに比べて、ペットボトルが備えているボトル上面の幅広い面を利用して衣料を吊り下げておいたり、洗濯衣料を干すことができるので、吊り下げ衣料や干し物の肩部が型くずれし難く、洗濯衣料の背面と前面との間にペットボトルの太さ分の空間を隔てて乾燥させることができるので、乾き易いという従来のハンガーには期待できなかった好ましい形態のハンガーとして使用することができる効果がある。
【００１８】
また、請求項２にいう衣料用ハンガー部材は、使用済みペットボトルを装着する横桿の構造を、装着ペットボトル上面の仮想延長線ｅにほぼ沿った上辺を有する首周り支持部を備えている形状に形成してあるので、この首周り支持部によって洗濯衣料品の首周りの部分を支持させておくことができる。そのため、前記の各効果を有するものでありながら、衣料品の、殊に含水状態で正常形態を維持させておくことが困難な洗濯直後の含水衣料の乾燥時にも形崩れの少ない状態で乾燥させることができるという効果をも期待できる。
【００１９】
請求項３にいう衣料用ハンガー部材は、横桿が、水平桿部分の側面に小孔を備えているものとし、この小孔に、内面にペットボトルの蓋嵌合用螺旋と嵌合する雌形螺旋を形成した上向き開口部を一端に備えた連結桿の基部に突出形成した連結脚を前記小孔に対して挿抜自在に連結する構成としたものであるから、この小孔に連結桿の基部を挿し込んで、一端に形成してある上向き開口部を上向きになるようにして固定し、その上向き開口部に使用済みペットボトルを起立姿勢に装着することによって、このペットボトルに、アノラックやパーカと呼ばれているフード付き防寒服のフード部分を掛けておくことにより、従来は乾燥が困難で時間がかかっていたフード部分の乾燥も、本体部分の乾燥と差異なく容易・迅速に乾燥させることができるという効果を有する。
【００２０】
請求項４にいう衣料用ハンガー部材も、上向き開口部を一端に備えた連結桿の基部に、フック体の下端部に係止する連結構造部を備えさせ、この連結構造部をフック体の下端部に対して着脱自在に係止連結する構成としたものであるから、この連結桿の一端に形成してある上向き開口部が上向きとなるようにして、その連結構造部をフック体の下端部に係止して固定し、前記上向き開口部に使用済みペットボトルを起立姿勢に装着しておくことによって、このペットボトルに、フード付き防寒服のフード部分を掛けておくことによりフード部分の乾燥も容易・迅速にできる効果を有する。
【図面の簡単な説明】
【００２１】
【図１】第１実施例の全体形状を示す正面図。
【図２】図１の右側面図。
【図３】図１の一部を縦断した断面図。
【図４】組み立て状態を示す正面図。
【図５】図４の使用状態を示す説明図。
【図６】第２実施例の全体形状を示す正面図。
【図７】図６の組み立て状態を示す正面図。
【図８】図７の使用状態を示す説明図。
【図９】第３実施例の全体形状を示す正面図。
【図１０】連結桿を示す平面図。
【図１１】同図１０の側面図。
【図１２】横桿への連結状態を示す一部切欠き側面図。
【図１３】図１２の全体形状を示す側面図。
【図１４】第４実施例の全体形状を示す正面図。
【図１５】連結桿を示す平面図。
【図１６】連結桿を示す側面図。
【図１７】横桿への連結状態を示す一部切欠き側面図。
【図１８】第５実施例の連結桿を示す平面図。
【図１９】横桿への連結状態を示す一部切欠き側面図。
【図２０】第６実施例の全体形状を示す正面図。
【図２１】連結桿を示す平面図。
【図２２】横桿への連結状態を示す一部切欠き側面図。
【図２３】第７実施例の連結桿を示す平面図。
【図２４】横桿への連結状態を示す一部切欠き側面図。
【図２５】第８実施例の連結桿を示す平面図。
【図２６】横桿への連結状態を示す一部切欠き側面図。
【考案を実施するための形態】
【００２２】
上記のような構成とした本考案にいう衣料用ハンガー部材を形成する樹脂素材は、殊に限定されるものではないが、ポリ塩化ビニル樹脂や、ポリエチレン・ポリプロピレンのようなポリオレフィン系の樹脂が耐候性に優れ、安価で入手が容易な点で好ましい。また、実施に当たっては、吊り下げフック部と横桿とを一体成型品として形成すると成形上安価に形成できる利点があるが、これらの吊り下げフック部と横桿とを別部材として形成し、両者を垂直軸周りに相対回転自在に嵌合させてある構造としておくと、室内のフック掛けや物干し竿に対して方向性に制限を受けることがない点で好ましい。
【実施例】
【００２３】
以下添付の図面に基づいて、図１〜５に示した第１実施例について説明する。ここに示した第１実施例の衣料用ハンガー部材は、大別すると、図１の上部に示した吊り下げ用フック体１と、下部に示した横桿２とからなっている。これらは全体を一体形成したものでもよいが、本実施例に示したハンガー部材は、これらのフック体１と横桿２とは別部材として形成してある。該実施例に示したハンガー部材は、図１における左右方向の大きさを９０〜１００ｍｍ程度の大きさとしたものである。
【００２４】
これらの内、上部に示した吊り下げ用フック体１は、上部に半円状壁を備えた図１の左側に示した吊り下げ本体１１と、この半円状壁と対向する半円状壁を上部に備え下部に外下向きに突出する開閉操作レバー１４を備えた図１の右側に示した吊り下げ副体１２とが枢軸１３で連結され、上部に係止空間１０を形成している。吊り下げ本体１１の下方には棒状桿１５とリング状ストッパー１６と、図３に示した縦割り溝１８で左右に区分された二つ割り脚１７，１７と、その末端に形成された外向き係止突起１９，１９とを備えた構造としてある。
【００２５】
言うまでもなく、吊り下げ本体１１と吊り下げ副体１２とは、前記枢軸１３に軸支したワイヤースプリング（図示省略）によって、前記係止空間１０が図示のように常時閉止状態を維持するようにしてある。物干し竿等への吊り下げに際してこの係止空間１０を開く場合には、前記枢軸１３を回転軸として操作レバー１４を棒状桿１５方向に曲げ移動させればよい。図１において、吊り下げ本体１１の外側にやや下向きに突出形成してある突起１１Ａは、該吊り下げ本体１１を室内の鴨居や無目鴨居、付け鴨居等への吊り下げに使用する突起を例示したものである。この突起１１Ａは、本考案とは直接的には関係のないものであるので、以降の図においては図示を省略したものもある。
【００２６】
前記横桿２は、僅かな長さの水平桿部分２１の左右方向に僅かに降下傾斜して突出する短尺の連接部３，３を備えている。この左右の連接部３，３には、図２，３に示したように、その端面に開口部４，４が凹入形成されていて、それぞれの内面にペットボトルＰの蓋嵌合用螺旋ｓと嵌合する雌形螺旋５，５を形成してある。また、前記水平桿部分２１の中央には、上半部に小径の上部穴６と下端部にやや大径の下部穴７を同軸状に形成し、開口部４，４の外周には、周方向の複数箇所に滑り止めリブ９を形成してある構造としたものである。
【００２７】
この上部穴６から前記吊り下げ本体１１における棒状桿１５の下方に形成してある二つ割り脚１７，１７を縦割り溝１８を利用して幅方向に狭小化しながら挿入し、前記大径とした下部穴７において狭小化作用を解除し、その末端に形成された外向き係止突起１９，１９を上部穴６と下部穴７との境界に形成された段部８に係合させ、軸方向の移動を阻止するようにしたものである。このようにして、本実施例のハンガー部材は、フック部１と横桿２とを垂直軸周りに相対回転自在に形成してある。
【００２８】
このようにしたハンガー部材は、図４に示したように、連接部３，３の端面に形成してある開口部４，４に対して、その内面に形成してある雌形螺旋５，５を利用して、２本のペットボトルＰ，Ｐの蓋嵌合用螺旋ｓ，ｓ部分を当てがって嵌合連結させ、全体としてハの字形のハンガーを形成する。このようにした状態で、図５に示したように、洋服Ｃを掛けるハンガーとして利用したり、洗濯物干し用のハンガーとして使用する。
【００２９】
図６乃至図８は、第２実施例の衣料用ハンガー部材を示したものである。この第２実施例の衣料用ハンガー部材は、前記第１実施例に示したハンガー部材における横桿２の構造を、連接部３，３のそれぞれの開口部４，４にペットボトルＰ，Ｐを連結させたとき、それぞれのペットボトルＰ，Ｐの上面ｕ，ｕが構成する線の仮想延長線ｅにほぼ沿った上辺を有する形状とした首周り支持部３１，３１を備えている構造としたものである。
【００３０】
この第２実施例に示したハンガー部材は、横桿２の構造として、ペットボトルＰ，Ｐの上面ｕ，ｕの仮想延長線ｅにほぼ沿った上辺を有する首周り支持部３１，３１を備えた構造とすることによって、左右に連結させた二つのペットボトルＰ，Ｐの肩部分どうしの間の空間部分を埋めさせ、衣料の首周りの最も垂れ易く変形し易い部分をこの首周り支持部３１，３１によって支えさせるようにしたものである。
【００３１】
このようにしておくことによって、殊に、ニット製品のような首周りの部分が垂れ易く変形し易い衣料のハンガーとしても安心して使用することができ、洗濯後の水分を含んでいて変形し易い未乾燥衣料の物干し用ハンガーとしても安心して使用することができるようにしたものである。なお、該首周り支持部３１，３１の側面視形状は、携行に便利であるという初期の目的を阻害しない範囲内で適宜の形状として実施することができるものである。
【００３２】
図９乃至図１３は、第３実施例の衣料用ハンガー部材を示したものである。この第３実施例の衣料用ハンガー部材は、前記第１実施例に示したハンガー部材と基本構造は同じ構造としたものであるが、横桿２の構造を、図９に示したように、水平桿部分２１の側面に別途形成した連結桿２３の基部２６から突出させた連結脚２７を挿抜自在に連結するための小孔２２を形成してある構造としたものである。該第３実施例に示した小孔２２は、図９のように、横桿２の中心線部分を避けて左右方向に変位した部分に二つ形成してある。
【００３３】
この別途形成した連結桿２３は、図１０及び図１１に示したように、その基部２６に、これらの小孔２２，２２に対応する箇所に２本の連結脚２７，２７を外下がり傾斜角をもって突出させてある構造としてある。また、該連結桿２３の他端側には、ペットボトルＰの蓋嵌合用螺旋と嵌合する雌形螺旋２５を内面に形成した上向き開口部２４を形成してある。この実施例に示した前記小孔２２，２２と連結脚２７，２７とは、図１２に連結状態を示したように、それぞれを奥側下がりの傾斜状とし、二つの小孔２２，２２に対して２本の連結脚２７，２７を落とし込み状態として挿入するだけで、安定よく連結できるようにしたものである。また、これらの小孔２２，２２と連結脚２７，２７とは二つ宛て形成してあるので、連結桿２３は軸周りに回転することも阻止される構造としてある。
【００３４】
この上向き開口部２４に、使用済みペットボトルＰの蓋嵌合用螺旋ｓ部分を当てがって嵌合連結させた状態で、連結桿２３の連結脚２７，２７を小孔２２，２２に挿入するか、連結桿２３の連結脚２７，２７を小孔２２，２２に挿入した状態で、使用済みペットボトルＰを連結桿２３の上向き開口部２４に嵌合連結させるかは何れでもよく、このようにして図１３のように直立させたペットボトルＰに対して、アノラックやパーカのようなフード付き防寒服若しくは防水服を、そのフード部分をペットボトルＰに掛けて乾燥させる。このペットボトルＰは、前記上向き開口部２４を外向き傾斜の上向きとして、装着ペットボトルＰを外向き傾斜方向に突出させるようにしてもよい。
【００３５】
このようにして、上向き開口部２４に装着したペットボトルＰに、フード付き防寒服等のフード部分を掛けて、フード部分の内部に空間を形成しておくことによって、従来では乾燥が困難で、時間がかかっていたフード部分の乾燥を、服の本体部分の乾燥とほぼ同時に、また容易かつ迅速に乾燥させることができる。
【００３６】
ここにいう連結桿２３の構造並びに横桿２への連結構造は、摩擦力を利用した圧入固定方式でも、周知の差し込み固定方式でもよく、これらの両部材２，２３が着脱可能な構造としてあればよいので、その手段は特定の方式のみに限定されるものではない。以下においてその代表的な実施例について説明する。
【００３７】
図１４乃至図１７は、第４実施例の衣料用ハンガー部材を示したものであって、この第４実施例の衣料用ハンガー部材は、前記第１実施例に示したハンガー部材と基本構造を同じくするものであるが、横桿２の構造を、図１４に示したように、水平桿部分２１の上面に、図１５，１６のように、別途形成した連結桿２３の基部２６から下方に向けて突出させた左右二つの連結脚２７を挿抜自在に連結するための小孔２２，２２を形成した構造としたものである。
【００３８】
この第４実施例に示した小孔２２，２２は、図１４のように、横桿２の中心線部分を避けて左右方向に変位した二つの部分に形成してある。また連結桿２３は、図１５及び図１６に示したように、その基部２６の端部をＵの字形の切り込み２８によって二又状に形成してあり、この切り込み２８の両側に平行に突出した部分２３ａ，２３ａに、前記連結脚２７，２７をそれぞれ下方に向けて突出形成してある。この実施例に示した連結脚２７，２７は、平面形状を＋字形に形成してあり、小孔２２，２２への嵌合時の抵抗を少なくしてある。しかし、横桿２を下向きとした時に自然落下したり、連結桿２３を持った時に横桿２と分かれて連結桿２３だけが持ち上がることのないように、適宜の圧力または摩擦力を保持させておくのが好ましい。
【００３９】
このような構造とした連結桿２３の２本の連結脚２７，２７を、図１７のように、横桿２に形成した前記小孔２２，２２に挿入して固定する。この連結桿２３の他端側には、使用済みペットボトルＰを倒立状に嵌合するための上向き開口部２４を形成してある。この倒立ペットボトルＰにフード付き衣料のフード部分を掛けて乾燥させるために使用することは、前記第３実施例に示した連結桿２３と同じである。この点は、以下の各実施例に示す連結桿２３にあっても同じであるので、説明は省略する。
【００４０】
図１８及び図１９に示した第５実施例の衣料用ハンガー部材は、連結桿２３の構造を、横桿２に連結するための連結構造部２０をその基部２６側に形成してある構造としたものである。この実施例の連結構造部２０は、図１８のように、基部２６の一側辺から幅方向に向かってＵの字形に切り込んだ切り込み２８を形成したものとし、この切り込み２８の幅を、吊り下げ本体１１における棒状桿１５の径とほぼ一致する幅としたものである。
【００４１】
このようにした連結桿２３の基部２６を、横桿２の上面に当てがって、図１８の矢印ａのように横方向にスライドさせ、切り込み２８を棒状桿１５の側面に当て付けて横桿２に連結させて使用するようにしたものである。
【００４２】
図２０乃至図２２に示した第６実施例の衣料用ハンガー部材は、横桿２に連結した吊り下げ本体１１の棒状桿１５の構造を、図２０，２１のように、その下方部分１５Ａを横幅の広いものとし、この広幅とした下方部分１５Ａに表背方向に貫通する貫通穴１５Ｂを形成してある構造としたものである。
【００４３】
また、この棒状桿１５を介して横桿２に連結するための連結桿２３の基部２６に形成した連結構造部２０の構造を、図２１，２２に示したように、連結桿２３の基部２６の幅を前記貫通穴１５Ｂに挿入可能な幅とし、その最先端部を上方に向けて折り曲げた折曲げ部２６Ａを備えた構造としたものである。
【００４４】
このようにした該第６実施例のハンガー部材は、連結桿２３の基部２６を貫通穴１５Ｂに対して前方斜め上方から差し込んで、その先端部の折曲げ部２６Ａを貫通穴１５Ｂの背面側に突出させた状態で手を離すことによって、折曲げ部２６Ａの前面部を貫通穴１５Ｂの背面側の壁面に接当させて係止させるようにしたものである。
【００４５】
図２３及び図２４に示した第７実施例の衣料用ハンガー部材は、横桿２に連結した吊り下げ本体１１の棒状桿１５を、図２４のように、その下方部分の一部の横幅を最下部１５Ｄの横幅に比して小幅１５Ｃに形成してある構造としたものである。同図では、棒状桿１５の途中部分の一部だけを小幅に形成してあるものとして示してあるが、最下部１５Ｄの上部全体を小幅にしてもよく、棒状桿１５のほぼ全体を前記各実施例のものと同様のものとし、最下部１５Ｄにだけ太幅部分を形成してあるものとしてもよい。
【００４６】
他方、この棒状桿１５を介して横桿２に連結するための、連結桿２３の基部２６側に形成した連結構造部２０の構造は、図２３のように、外端部からＵの字形に切り込んだ切り込み２８と、この切り込み２８の奥側に、この切り込み２８の幅よりも大きい幅とした太幅部分２８Ａを形成してある構造としたものである。
【００４７】
このようにした連結桿２３の基部２６を、切り込み２８の両側に平行に突出した部分２３ａ，２３ａで、棒状桿１５の前記小幅１５Ｃの部分を挟み込むようにして奥端まで押し込み、続いて、下方に向けて降下させることにより、該切り込み２８の奥側に形成してある太幅部分２８Ａを棒状桿１５の最下部１５Ｄに形成してある大径部分の周りに嵌合させて、横桿２に対して連結桿２３を固定するようにしたものである。
【００４８】
更に、図２５及び図２６に示した第８実施例の衣料用ハンガー部材は、連結桿２３の基部２６側に形成した横桿２への連結構造部２０を、前記第７実施例に示した連結桿２３の基部２６側の切り込み２８のように、連結桿２３の外端部からＵの字形に切り込んだ切り込み２８を形成し、横桿２への連結時に棒状桿１５を挟み込むようにし、該切り込み２８の両側に平行に突出した部分２３ａ，２３ａを、横桿２の上面と背面とに沿う形状とし、即ち、側面視形状を馬の鞍形状とし、該連結桿２３を横桿２に対して載置状に固定するようにしたものである。
【００４９】
以上本考案の代表的と思われる実施例について説明したが、本考案はこの実施例のもののみに限定されるものではなく、本考案の構成要件を充足し、目的を達成し、効果を有する範囲内において適宜に改変して実施することができるものである。
【符号の説明】
【００５０】
１  フック体
２  横桿
３  連接部
４  開口部
５  雌形螺旋
１０  係止空間
１１  吊り下げ本体
１２  吊り下げ副体
１３  枢軸
１４  開閉操作レバー
２０  連結構造部
２１  水平桿部分
２２  小孔
２３  連結桿
２４  上向き開口部
２５  雌形螺旋
２６  基部
２７  連結脚
３１  首周り支持部
ｅ  仮想延長線
【図１】
0003161719.tif 000003
【図２】
0003161719.tif 000004
【図３】
0003161719.tif 000005
【図４】
0003161719.tif 000006
【図５】
0003161719.tif 000007
【図６】
0003161719.tif 000008
【図７】
0003161719.tif 000009
【図８】
0003161719.tif 000010
【図９】
0003161719.tif 000011
【図１０】
0003161719.tif 000012
【図１１】
0003161719.tif 000013
【図１２】
0003161719.tif 000014
【図１３】
0003161719.tif 000015
【図１４】
0003161719.tif 000016
【図１５】
0003161719.tif 000017
【図１６】
0003161719.tif 000018
【図１７】
0003161719.tif 000019
【図１８】
0003161719.tif 000020
【図１９】
0003161719.tif 000021
【図２０】
0003161719.tif 000022
【図２１】
0003161719.tif 000023
【図２２】
0003161719.tif 000024
【図２３】
0003161719.tif 000025
【図２４】
0003161719.tif 000026
【図２５】
0003161719.tif 000027
【図２６】
0003161719.tif 000028